(57)【要約】【課題】子機の時計データが正確か否かに関わらず、親機の時計データの補正をできるコードレス電話装置を提供すること。【解決手段】コードレス電話装置１０は計時部２４１を備える親機２０と、前記親機２０と無線回線によって接続され信号の送受信によって同期をとる複数の子機３０とから構成され、前記子機３０はさらに計数部（タイマー）３５を備えており、該子機３０が停電の発生を検知すると前記計数部３５が停電の発生から電力が復帰するまでの時間の計数を行うとともに、電力復帰後に前記計数結果を無線により前記親機２０に送信し、前記親機２０は前記計時部２４１の時計情報に前記計数結果を加算して補正する。【選択図】図４
2008139076.tif 000002
【特許請求の範囲】
【請求項１】
不揮発性の記憶媒体に時計情報を記憶することができる計時部を備える親機と、前記親機と無線回線によって接続され信号の送受信によって同期をとる複数の子機と、から構成されるコードレス電話装置において、
前記子機はさらに計数部を備え、
該子機が停電の発生を検知すると、前記計数部が停電の発生から電力が復帰するまでの時間の計数を行うとともに、電力復帰後に前記計数結果を無線により前記親機に送信し、
前記親機は前記計時部の時計情報に前記計数結果を加算して補正することを特徴とするコードレス電話装置。
【請求項２】
前記子機は、親機から同期信号が送信されないことを受けて停電の発生を検知し、親機からの同期信号が回復したことを受けて電力の復帰を検知することを特徴とする請求項１に記載のコードレス電話装置。
【発明の詳細な説明】
【技術分野】
【０００１】
本発明は、電話回線に接続された親機と、この親機と無線によって接続される子機とからなる時計情報機能を備えたコードレス電話機に関するものである。
【背景技術】
【０００２】
従来より、電話機には正確な時刻表示を行うために時計が備えられている。特に留守番電話機能を備えた電話機については、相手からのメッセージの録音を終了した後にその電話がかかってきた時間を同時に記録する、いわゆるタイムスタンプ機能を有するものが多いが、当該機能を実効あらしめるために正確な計時を行うことは極めて重要である。
【０００３】
通常であれば時計の一致を図ることは困難なことでないものの、停電が起きたときにはこれが容易ではなくなる。即ち、子機は親機と無線によって接続されているため内部電源としてバッテリーを有しており、外部からの電源供給が停止したとしても子機は動作を継続でき、子機側の時計は停止しない。一方、親機は固定的に設置して電話線と接続されるものであるから、本来的にバックアップ電源を備えていない。そのため停電によって外部からの電源供給が停止すれば親機の動作も停止せざるを得ず、これに伴って時計も停止してしまう。即ち停電が起きたときに親機と子機との時計データに不一致が生じ、特に親機に関しては正確に時計を合わせていても停電が起きると時計が遅れてしまい、これを解消することが課題となっている。
【０００４】
このような点に鑑みてなされた発明として、下記特許文献１（特開平１０−９３６８５号公報）に「留守番電話機能付きコードレス電話装置」の発明が開示されている。この特許文献１に開示された発明は、親機には停電の発生を検出する停電検出部と、時間を計数する時計計数部とを設け、子機に親機の指示により時間の計数を行う時計計数部を設け、親機の停電検出部にて停電の発生が検出されると子機に対して停電の発生とその時点の時計計数部の時計データを送信し、このデータに基づいて子機の時計計数部は計数を開始する。停電が復帰した時点で子機側から親機側へ時計情報を移し、親機の時計計数部は子機の時計計数部のデータにより再設定されるというものである。
【０００５】
また、下記特許文献２（特開２００６−２７９６７０号公報）には「コードレス電話機および時計自動バックアップ方法」の発明が開示されている。この特許文献２に開示された発明によると、子機は、親機から時刻未設定状態である通知を受けた場合に親機へ子機が保有する時計情報を送信し、親機から送信されてくる時計情報と子機の保有する時計情報を対比し、両時計情報の差が一定時間以上存在した場合に子機の保有する時計情報を親機から受信した時計情報へと置き換える。親機は時刻未設定状態の時、子機から送信されてくる時計情報を元に親機の時計情報を設定する。親子機で時計情報が消失した場合でも、停電解消後に親子機間で自動的に時計情報をやり取りして時計情報を復帰させるというものである。
【０００６】
特許文献１の発明によれば、停電によって親機の電源が無くなっても、停電検出を行った後、マイコンが停電を検出したことを示すデータを送信する電力さえ残っていれば、停電中の時計のカウントを子機側において行うことが可能となり、タイムスタンプ機能を確保するための特別なバックアップ電源を省略することができる。また、特許文献２の発明によればコードレス電話機に備えられている無線情報の送受信回路とソフト的処理のみで時計情報の一致を図ることができるようになり、余計な回路の組み込みを抑えることができる。
【特許文献１】特開平１０−９３６８５号公報（段落、要約）
【特許文献２】特開２００６−２７９６７０号公報（段落、要約）
【発明の開示】
【発明が解決しようとする課題】
【０００７】
しかしながら、上記特許文献１に開示された発明では親機が停電を検出したことを子機にデータ送信する必要があり、停電時のためだけのデータ送受信機構が必要となってしまう。さらに停電時に親機は電源供給が遮断されるのであるから、データ送信を行うための電力が残っていなければならず、事実上安定性に欠ける。また、上記特許文献１及び２において、停電復帰後の親機の時刻設定は子機の時計情報に基づいて再設定するものであり、子機の時計が正確であることが前提となっている。即ち、子機側の時計情報が初めからズレている場合や、親機と異なるタイムゾーンの日時が設定されている場合には、親機側の時計もこれに合わせて誤った日時に設定されてしまう可能性がある。
【０００８】
さらにコードレス電話機は家庭内で用いるものであっても複数の子機を備えているのが一般的である。もしこれら複数の子機のそれぞれが異なった日時を設定している場合には、どの子機の時計が正確かを判断することはできず、それらのうち時計が最も進んでいるものか、又は最も遅れているものの時計情報を親機の時計に反映するということしかできない。この点については上記特許文献１、２においてはいずれも考慮されておらず、問題となる。
【０００９】
本願発明者は、これらの問題点を解決すべく種々検討を重ねた結果、子機の時計に合わせて親機の時計情報を補正するのではなく、停電していた期間を子機側においてカウントし、電力が復帰したときに子機側においてカウントした期間を停電前の親機の時計情報に加算することによって時計を補正すれば、子機の時計が誤っているか否かに関わらず親機の時計情報を停電前の状態に修正することができることを見出し、本願発明を完成するに至ったものである。
【００１０】
すなわち、本発明は上記の問題点を解決するためになされたものであり、複雑な構成を要することなく停電復帰後、速やか且つ正確に親機の時計を修正することができるコードレス電話機を提供することを目的とするものである。
【課題を解決するための手段】
【００１１】
上記課題を解決するために、本願請求項１に係る発明は、不揮発性の記憶媒体に時計情報を記憶することができる計時部を備える親機と、前記親機と無線回線によって接続され信号の送受信によって同期をとる複数の子機と、から構成されるコードレス電話装置において、前記子機はさらに計数部を備え、該子機が停電の発生を検知すると、前記計数部が停電の発生から電力が復帰するまでの時間の計数を行うとともに、電力復帰後に前記計数結果を無線により前記親機に送信し、前記親機は前記計時部の時計情報に前記計数結果を加算して補正することを特徴とする。
【００１２】
さらに請求項２に係る発明は、前記子機は、親機から同期信号が送信されないことを受けて停電の発生を検知し、親機からの同期信号が回復したことを受けて電力の復帰を検知することを特徴とする。
【発明の効果】
【００１３】
本願発明は上記構成を備えることにより、以下に示すような優れた効果を奏するものである。すなわち、請求項１にかかる発明によれば、子機は計数部を備え、停電が発生してから電力が復帰するまでの時間を計数し、無線により親機に計数結果を送信し、親機は計数結果を時計情報に加算して時計を補正する。これにより、停電が発生して時計情報を補正する必要が生じたときには、停電があった時間のみを計測して時計情報に反映するため、子機の時計情報が正確か否かに関わらず、さらには複数の子機の時計情報が一致しているか否かに関わらず親機の時計情報を補正することができるようになる。
【００１４】
さらに請求項２にかかる発明によれば、子機は親機から同期信号が送信されないことを受けて停電の発生を検知し、親機からの同期信号が回復したことを受けて電力の復帰を検知するため、停電の発生を報知するための機構などを別に設ける必要がなく、通常用いられる同期信号回路を利用することができるから、製造コストの低減を図ることができるようになる。
【発明を実施するための最良の形態】
【００１５】
以下、図面を参照して本発明の最良の実施形態を説明する。但し、以下に示す実施形態は、本発明の技術思想を具体化するためのコードレス電話装置を例示するものであって、本発明をこのコードレス電話装置に特定することを意図するものではなく、特許請求の範囲に含まれるその他の実施形態のものも等しく適応し得るものである。
【実施例１】
【００１６】
図１は、本発明の実施例１にかかるコードレス電話装置１０の外観を示す図である。コードレス電話装置１０は親機２０と子機３０とが無線で接続された構成となっており、子機３０から親機２０を介して通話の受信、発信が行えるようになっている。このコードレス電話装置１０はアナログコードレス電話装置、デジタルコードレス電話装置の何れであってもよく、また、ＩＰ電話システムの端末装置であってもよい。
【００１７】
また、コードレス電話装置１０には複数の子機３０を備えることができ、親機２０と子機３０にはそれぞれ特定の電話番号を割り当てることができる。また、子機３０の何れかを携帯電話専用に割り当てることもできる。
【００１８】
親機２０には着信時に、留守をしていて親機２０または子機３０で応答ができない場合に、発信元に留守メッセージを伝え、発信元の伝言（メッセージ）を録音する、いわゆる留守録の機能が備えられおり、留守メッセージが録音された時刻をメッセージとともに記録する、いわゆるスタンプ機能も備えている。
【００１９】
親機２０は、図２のブロック図に示すように、電話回線制御部２１、音声信号処理部２２、無線部２３、制御部２４、マイク・スピーカ部２５、操作・表示部２６、メモリ２７、アンテナ２８、録音・再生ユニット２９を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００２０】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。さらに親機２０と子機３０は互いに同期信号を送受信しており、時計情報などにおいて同期を取っている。なお停電時には親機２０は外部電源の供給が遮断されるため作動が停止し、同時に同期信号も送信されなくなる。子機側において同期信号が送信されなくなったことを検知すると子機３０は速やかに停電時間のカウントを開始し、同期信号が回復したことを検知するとカウントを終了、親機２０へ送信する。同期信号の有無をもって停電の発生を検知するため、停電が発生したことを子機３０に報知するためだけの構成を省略することができる。
【００２１】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。
【００２２】
メモリ２７にはコードレス電話装置の各種機能の設定状況や、上記のナンバーディスプレイ関連サービスの設定状況などが記憶される他、ユーザが入力する電話帳、短縮ダイヤルの登録情報を記憶することができる。また、着信音切り替え機能を使用する場合には、着信音切り替え設定情報が記憶される。着信音切り替え設定情報はユーザが操作・表示部２６から入力するものであり、ユーザによって入力された着信電話番号と着信音の種別が関係付けられ、設定情報として記憶されるとともに、各着信音の音源データが記憶される。音源データは、各種リムーバブル記録媒体から入力したり、他の機器で再生した音源データを録音して入力したりすることができる。
【００２３】
本発明においては、制御部２４は計時部２４１を備えており、現在日時の計時を行っている。なお停電時は電源供給が遮断されるため計時部２４１も停止するが、電源の供給が停止しても時計情報が消去されないものである必要がある。時計情報が消去されてしまうと、停電後の時計は初期状態（例えば「午前０時００分」）に戻ってしまうため、これに停電時間を加算しても無意味であり本発明の目的を達することができない。したがって時刻に関するデータは一時的に不揮発性のＲＯＭに記憶させるよう動作するものが好ましい。また記憶された時計情報は電力復帰後にＲＯＭから読み出されて計時部２４１に記録され、さらに後述するように子機から送信される停電時間のデータを加算して現在時刻とするようになされる。
【００２４】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
【００２５】
音声信号処理部３２は受話音声信号を処理してマイク・スピーカ部３５を介して出力し、あるいは、マイク・スピーカ部３５を介して入力された送話音声を処理して音声信号に変換して送出する。無線部３３はアンテナ３８を介して親機２０との間で発信信号、送話音声信号、受信音声信号を通信する。
【００２６】
操作・表示部３６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３０の種々の機能設定をすることができる。操作・表示部３６には子機３０に対する留守番録音が親機２０の録音・再生ユニット２９に残されているか否かを表示し、再生を要求する確認ボタンを表示する留守録表示領域３６１が設けられている。従って、子機３０の利用者は領域３６１に留守録表示があれば確認ボタンを操作して、録音・再生ユニット２９に録音されているメッセージを再生して聞くことができる。
【００２７】
メモリ３７には子機３０の各種機能の設定状況が記憶される他、ユーザが入力する電話帳、短縮ダイヤルの登録情報を記憶することができる。また、着信音切り替え機能を使用する場合には、子機３０側で直接着信音を再生出力できるように音源データが記憶される。この音源データには、親機２０から着信信号とともに送信される識別符号が対応付けられて記憶される。各着信音の音源データは、各種リムーバブル記録媒体から入力したり、他の機器で再生した音源データを録音して入力したりすることができる。
【００２８】
子機３０はさらにタイマー３５を備えており、その機能は次のとおりである。即ち子機３０は通常、親機２０と同様に外部電源からの電力供給を受けておりバッテリーは使用されないが、停電があった場合においては、外部電源は遮断され子機３０の電源はバッテリーに切り替わる。一方親機２０はバッテリーを備えていないため作動が停止する。このとき同時に同期信号が親機から送信されなくなるため、子機３０がこれを検出してタイマー３５によってカウントを開始し、電力が復帰して親機２０からの同期信号が送信されるまでの時間を計時するものである。親機２０との同期が取れなくなった時点から同期信号が回復するまでの時間は、現実の時間と多少の誤差はあるものの、停電が発生してから電力が復帰するまでの時間と一致するから、正確な停電時間を計測することができる。
【００２９】
タイマー３５には公知の電子時計を用いることができるが日時を計るものである必要はなく、ある一定の間隔を計測することができるものであればよい。カウント結果は一時的にＲＡＭに記憶されて親機２０に無線部３３を通じて送信される。タイマー３５は子機３０が複数設置される場合にはその全てに設けても良いし、そのうちのいずれかひとつに設ける構成としてもよい。
【００３０】
以下フローチャートを用いてコードレス電話装置１０の動作を説明する。図４（ａ）は停電が発生したときの子機の動作を示し、（ｂ）は（ａ）での子機３０の動作を受けた電力復帰後の親機２０の動作を示したものである。
【００３１】
上述のとおり、子機３０は親機２０から同期信号が送信されているかを常時監視しており、親機２０から同期信号が送信されている限りステップＳ１１の処理を繰り返す。停電が発生すると親機２０は電源が停止し、同期信号の送信も停止する。子機３０は同期信号が受信できなくなったことを受けてステップＳ１２の処理に進み、タイマー３５により秒単位でカウントを開始する。カウントは停電から電力が復帰するまで、即ち親機２０が起動を開始し同期信号を子機３０において受信できるようになるまで行う。
【００３２】
タイマー３５によりカウントを開始するとステップＳ１３の処理に進み、子機３０は同期信号の受信待機状態に入り、親機２０からの同期信号を受信するまでタイマー３５がカウントを継続する。停電が終わり電力が復帰すると、親機２０は再び同期信号の送信を開始し、これを子機３０において検知するとステップＳ１４の処理に進む。ステップＳ１４に進むと、タイマー３５はカウントを終了し、カウント結果（○秒○○）を一時的にＲＡＭに記憶する。そしてカウント結果に相当する時間データの信号化処理を行い、無線部３３に出力し同期信号とともに親機２０に送信する。以上が子機３０の動作であり、これらの処理が終了すると（Ａ）、親機２０側で時計データを修正する処理に移行する。
【００３３】
ステップＳ１４の処理において子機３０から同期信号とともにカウント結果が送信されると、ステップＳ１５の処理において親機２０は無線部２３によりこれを受信し、ステップＳ１６の処理に進む。停電の間は、計時部は停止しているから、電力が復帰したばかりの状態では、時刻は停電が発生した時点のままであるか、少なくとも親機２０と子機３０との同期信号の送受信に要した時間だけ進んだ時点のものとなっている。ステップＳ１６では、親機２０の計時部における時計データに、子機３０から受信したカウント結果を加算する。つまり親機２０の時計データを子機３０がカウントした時間だけ進めることによって親機３０の時計を調整する。以上のようにして、停電によって親機２０の電源が落ちていた時間の遅れを補正することができる。
【００３４】
なお、コードレス電話装置１０が複数の子機３０を備えていて、それら全てがタイマー３５を備えている場合であっても基本の動作は上記と変わりない。複数の子機３０からカウント結果が親機２０に送信されたとしても、停電時間はどのタイマーで計時しても変わらず、いずれを親機２０の計時部に反映しても問題はないからである。ただし子機３０のタイマー３５がカウントを終了してこれを親機２０に送信するタイミングは、親機からの信号が受信できたか否かによって決まるため、親機２０においてこれを受信するタイミングも若干異なることもあり得る。
【００３５】
このような場合に親機２０がそのすべてのカウント結果を計時部のデータに加算してしまうと、逆に時計のズレを生じさせてしまう。そこで、例えば親機２０側においてカウント結果のデータが複数送信されてきたときには、そのうちの最初の時計データのみを採用するというようになせば上記のような弊害は解消できる。このとき、時計データの補正を行ったことを示すフラグをセットしておき、次に停電が生じて電力がオフしたときにこのフラグをリセットするようになせば、停電がある都度その１回に限り時刻の補正を行うことが可能となる。
【００３６】
以上のように、本発明に係るコードレス電話装置によれば、複雑な構成を要することなく、また子機の時計が正確であると否とに関わらずに、停電時に生じる親機の計時部の時間のズレを調整することができるコードレス電話装置を提供することが可能となる。これにより留守番電話を録音する際のタイムスタンプ機能を有効に活用することができるようになる。
【図面の簡単な説明】
【００３７】
【図１】図１は、本発明の実施例１にかかるコードレス電話装置１０の外観を示す図である。
【図２】図２は、本発明の実施例１にかかるコードレス電話装置の親機２０の構成を示すブロック図である。
【図３】図３は、本発明の実施例１にかかるコードレス電話装置の子機３０の構成を示すブロック図である。
【図４】図４は、本発明の実施例１にかかるコードレス電話装置の全体の動作を示すフローチャートであり、図４（ａ）は停電が発生したときの子機の動作を示し、（ｂ）は（ａ）での子機３０の動作を受けた電力復帰後の親機２０の動作を示したものである。
【符号の説明】
【００３８】
１０      コードレス電話装置
２０      親機
２３      無線部
２４      制御部
２４１    計時部
３０      子機
３３      無線部
３４      制御部
３５      タイマー（計数部）
【図１】
2008139076.tif 000003
【図２】
2008139076.tif 000004
【図３】
2008139076.tif 000005
【図４】
2008139076.tif 000006